【手続補正書】
【提出日】令和3年11月18日(2021.11.18)
【手続補正１】
【補正対象書類名】明細書
【補正対象項目名】発明の名称
【補正方法】変更
【補正の内容】
【発明の名称】サーバシステム、ネットワーク、サーバシステムに接続された空調システムを制御する方法、およびネットワークを制御する方法
【手続補正２】
【補正対象書類名】明細書
【補正対象項目名】０００１
【補正方法】変更
【補正の内容】
【０００１】
本開示は、サーバシステム、ネットワーク、ならびにサーバシステムに接続された空調システムを制御する方法、およびネットワークを制御する方法に関する。
【手続補正３】
【補正対象書類名】明細書
【補正対象項目名】０００２
【補正方法】変更
【補正の内容】
【０００２】
特に、空調システムのための一例として、本開示は、個別の動作ユニット、例えば、空調システムまたは建物暖房システムの一部を形成する個別のヒートポンプ、の制御に関する。空調システムの現在の状態は、空調システムの効率的使用に関して、空調システムが設置されるそれぞれの建物の内部に構築されるべき空調システムの適切な構成に関する知識が豊富な熟練設置担当者によって実施される人手による稼働開始に大幅に依存している。システムパラメータのためのこのような設定は、通常、空調システムの設置および稼働開始時に熟練担当者によって記入された稼働開始チェックリストで供給される。
【手続補正４】
【補正対象書類名】明細書
【補正対象項目名】０００５
【補正方法】変更
【補正の内容】
【０００５】
したがって、本開示は、かかる問題を解決するためになされたものであり、システム動作がより効率的で、居住者にとって熱的不快がより少なく、システム環境の変化に適合可能な、サーバシステムを提供することを目的とする。
【手続補正５】
【補正対象書類名】明細書
【補正対象項目名】０００７
【補正方法】変更
【補正の内容】
【０００７】
この課題は、請求項１〜請求項１０に記載のサーバシステム、請求項１１に記載のネットワーク、請求項１２に記載の空調システムの制御方法、および請求項１３に記載のネットワークの制御方法によって解決される。これら特許請求される主題の更なる有利な改良点は、それぞれの従属請求項に提供されている。
【手続補正６】
【補正対象書類名】特許請求の範囲
【補正対象項目名】全文
【補正方法】変更
【補正の内容】
【特許請求の範囲】
【請求項１】
少なくとも２つの空調システムに接続されるように構成されたサーバシステムであって、
前記空調システムのうちの少なくとも１つを第１の空調システムとしたとき、
前記サーバシステムは、
前記接続された空調システムのうちの少なくとも１つから、おそらく前記空調システム内の制御装置を介して、データを受信し、
前記第１の空調システム、および、１つまたはおそらく複数の更なる空調システムのうちの、少なくとも１つの動作ユニットの設備パラメータおよび／または性能パラメータに関するデータを受信し、
少なくとも前記第１の空調システムの前記動作ユニットのうちの前記少なくとも１つのために、少なくとも１つの修正された動作パラメータを決定し、
前記第１の空調システムの少なくとも前記動作ユニットを制御するために、前記修正された動作パラメータを少なくとも前記第１の空調システムに送信するように構成されており、
空調システムの動作ユニットの少なくとも１つの修正された動作パラメータの前記決定は、
ｂ）少なくとも１つの空調システムの少なくとも２つの異なる動作データおよび／または性能データの比較または統計学的分析であって、その違いは、好ましくは前記取得時刻および／または前記空調システムの違いである、比較または統計学的分析と、
ｃ）使用パラメータ、例えば、過去および／または現在および／または予測居住者数、居住者が好む温度設定などの判定または統計学的分析と、
ｄ）過去および／または現在および／または予測気象条件の判定または統計学的分析と、
を含む群のうちの少なくとも１つに基づく、
サーバシステム。
【請求項２】
前記空調システムにおける前記動作ユニットは、ポンプ、弁、および、圧縮機等のうちの１つ以上である、
請求項１に記載のサーバシステム。
【請求項３】
性能パラメータに関する前記データは、すくなくとも１つの性能インジケータを含み、
前記性能インジケータは、例えば、成績係数（ＣＯＰ）または予測平均温冷感申告／平均快適さ応答（ＰＭＶ）、および／または、コストである、
請求項１または２に記載のサーバシステム。
【請求項４】
設備パラメータに関する前記データは、
例えば、住戸種別、熱質量および／またはエミッタ種別を含む、空調対象の建物の建物特徴、
例えば、ゾーン温度設定点、セットバック時間、および／または、スケジューリングを含む、前記少なくとも１つの動作ユニットの制御設定、
例えば、ゾーン温度設定点、快適さ柔軟性、および／または、スケジューリングを含む、ユーザ入力、
例えば、過去、現在または予測される天候、エネルギー価格、エネルギー消費ピーク事象、再生可能エネルギーの可用性、ストレージの可用性を含む、予測データ、
例えばセンサデータを含む、前記少なくとも１つの動作ユニットの動作状態に関する情報、および、
例えば、流量、流速および／または流れ温度を含む流体流れパラメータ、流体戻り温度、天候補償曲線を含む、設備データおよび／または稼働開始データ、
を含む群のうちの少なくとも１つを含む、
請求項１〜３の何れか一項に記載のサーバシステム。
【請求項５】
前記制御設定は、特に流量、流速および／または流れ温度を含む流れパラメータ、流体戻り温度、天候補償曲線、弁の開度、ポンプ出力、圧縮機周波数を含む群のうちの少なくとも１つを含む、
請求項４に記載のサーバシステム。
【請求項６】
前記建物の特徴は、例えば、構造パラメータ、建物サイズ、建物の位置、建物の場所、建物の向き、建物周囲の種別を含む建物種別で構成された群のうちの少なくとも１つを含む、
請求項４に記載のサーバシステム。
【請求項７】
前記空調システムはネットワークに接続され、
前記ネットワークは、少なくとも１つまたは複数の更なる空調システムを備えたローカルネットワークであり、好ましくは全ての空調システムが同じ種類または同一のローカルネットワークに接続され、前記ローカルネットワークに含まれる、
請求項１〜６の何れか一項に記載のサーバシステム。
【請求項８】
前記空調システムはネットワークに接続され、
前記ネットワークは、１つのネットワークサーバまたは複数のネットワークサーバのクラスタ（クラウド）を介して接続された少なくとも１つまたは複数の更なる空調システムを備えるネットワークであり、好ましくは全ての空調システムが同じ種類または同一の前記ネットワークに接続される、および／または、前記ネットワークに含まれる、
請求項１〜６の何れか一項に記載のサーバシステム。
【請求項９】
前記空調システムは、暖房システムおよび／または冷却システムおよび／または換気システム（ＨＶＡＣ）、特にヒートポンプまたは冷却装置、特に建物内に設置されたシステム、である、
請求項１〜８の何れか一項に記載のサーバシステム。
【請求項１０】
空調システムの動作ユニットの少なくとも１つの修正された動作パラメータの前記決定は、前記空調システムの性能パラメータを最適化するために処理される、
請求項１〜９の何れか一項に記載のサーバシステム。
【請求項１１】
前記空調システムのうちの少なくとも１つが前記第１の空調システムである、少なくとも１つの空調システムと、
請求項１〜１０の何れか一項に記載のサーバシステムと、
を備えたネットワーク。
【請求項１２】
請求項１〜１０の何れか一項に記載の前記サーバシステムに接続された前記空調システムを制御する方法であって、
前記空調システムの前記少なくとも１つの動作ユニットおよび／または前記空調システムの設備パラメータおよび／または性能パラメータに関するデータをネットワークに送信するステップと、
少なくとも前記第１の空調システムの少なくとも１つの動作ユニットの、および／または少なくとも前記第１の空調システムの、設備パラメータおよび／または性能パラメータに関するデータを前記ネットワークから受信するステップと、
前記受信されたデータに応じて、前記第１の空調システムの少なくとも前記動作ユニットを、前記第１の空調システムの前記制御装置によって制御するステップと、
を備えた方法。
【請求項１３】
請求項１１に記載のネットワークを制御する方法において、
少なくとも前記第１の空調システムおよび／または前記空調システムの、少なくとも１つの動作ユニットの、設備パラメータおよび／または性能パラメータに関するデータを、少なくとも前記第１の空調システムによって、前記サーバシステムに送信するステップと、
少なくとも前記第１の空調システムおよびおそらく更なる空調システムの、前記少なくとも１つの動作ユニットの設備パラメータおよび／または性能パラメータに関する前記データを、前記サーバシステムによって受信するステップと、
少なくとも前記第１の空調ユニットの前記動作ユニットのうちの少なくとも１つのために、少なくとも１つの修正された動作パラメータを、前記サーバシステムによって決定するステップと、
前記第１の空調システムの少なくとも前記動作ユニットを制御するために、前記修正された動作パラメータを、前記サーバシステムによって、前記第１の空調システムに送信するステップと、
前記サーバシステムによって送信された前記データを、前記第１の空調システムによって受信するステップと、
前記受信されたデータに応じて、前記第１の空調システムの少なくとも前記動作ユニットを、前記第１の空調システムの前記制御装置によって制御するステップと、
を備えた方法。